(57)【特許請求の範囲】
【請求項１】
広告の画像データと当該広告の属性情報とを含む広告データを管理する広告データベースと、
広告媒体を撮影して、頁単位で画像データを取得する媒体撮影手段と、
前記広告媒体において、広告が掲載されている領域の指定を受け付ける広告領域指定手段と、
前記掲載された広告の属性情報の入力を受け付ける情報入力手段と、
前記媒体撮影手段により取得された画像データから、前記広告領域指定手段により指定された領域を切り出して広告画像データを生成し、前記情報入力手段により入力された属性情報と関係付けて広告データを作成し、当該作成した広告データを前記広告データベースに格納する広告データ化手段と、
前記掲載された広告と略同一の広告に係る広告データが、既に前記広告データベースに存在するか否かの入力を受け付ける重複チェック手段と、
を備え、
前記広告データ化手段は、
前記重複チェック手段において、略同一の広告に係る広告データが存在しない旨の入力を受け付けたとき、前記生成した広告画像データと、前記情報入力手段により入力された属性情報と関係付けて広告データを作成し、当該作成した広告データを前記広告データベースに格納し、
前記重複チェック手段において、略同一の広告に係る広告データが既に存在する旨の入力を受け付けたとき、前記略同一の広告に係る広告データに、前記広告媒体に関する情報を関係付けて前記広告データベースに格納する、
ことを特徴とする広告データ収集システム。
【請求項２】
前記重複チェック手段は、
前記広告データベースから、前記掲載された広告の画像と類似する広告画像データを抽出し、当該抽出した類似画像データを一覧表示して、略同一の広告が存在する場合には、前記一覧表示された類似画像データの中から前記略同一の広告の指定を受け付ける、
ことを特徴とする請求項１に記載の広告データ収集システム。
【請求項３】
前記属性情報は、広告主と、商品の種別と、広告が掲載された広告媒体に関する情報とを含むことを特徴とする請求項１又は２のいずれかに記載の広告データ収集システム。
【請求項４】
前記広告媒体に関する情報とは、広告媒体の名称と、発売日又は発行日と、全頁数とを含むことを特徴とする請求項３に記載の広告データ収集システム。
【請求項５】
広告の画像データと当該広告の属性情報とを含む広告データを管理する広告データベースと、システムの動作ないし処理全体を制御するための制御手段と、データの入力を受け付ける入力手段と、を備える広告データ収集システムにおいて、広告データを収集する方法であって、
前記制御手段が、広告媒体を撮影して、頁単位で画像データを取得する媒体撮影ステップと、
前記制御手段が、前記広告媒体において、広告が掲載されている領域の指定を受け付ける広告領域指定ステップと、
前記入力手段により、前記掲載された広告の属性情報の入力を受け付ける情報入力ステップと、
前記入力手段により、前記掲載された広告と略同一の広告に係る広告データが、既に前記広告データベースに存在するか否かの入力を受け付ける重複チェックステップと、
前記制御手段が、前記媒体撮影ステップで取得された画像データから、前記広告領域指定ステップで指定された領域を切り出して広告画像データを生成し、前記情報入力ステップで入力された属性情報と関係付けて広告データを作成し、当該作成した広告データを前記広告データベースに格納する広告データ化ステップと、
を備え、
前記広告データ化ステップは、
前記重複チェックステップにおいて、前記入力手段が、略同一の広告に係る広告データが存在しない旨の入力を受け付けたとき、前記制御手段が、前記生成した広告画像データと、前記情報入力ステップで入力された属性情報と関係付けて広告データを作成し、当該作成した広告データを前記データベースに格納し、
前記重複チェックステップにおいて、前記入力手段が、略同一の広告に係る広告データが既に存在する旨の入力を受け付けたとき、前記制御手段が、前記略同一の広告に係る広告データに、前記広告媒体に関する情報を関係付けて前記データベースに格納する、
ことを特徴とする広告データ収集方法。
【請求項６】
コンピュータを、
広告の画像データと当該広告の属性情報とを含む広告データを管理する広告データベース、
広告媒体を撮影して、頁単位で画像データを取得する媒体撮影手段、
前記広告媒体において、広告が掲載されている領域の指定を受け付ける広告領域指定手段、
前記掲載された広告の属性情報の入力を受け付ける情報入力手段、
前記媒体撮影手段により取得された画像データから、前記広告領域指定手段により指定された領域を切り出して広告画像データを生成し、前記情報入力手段により入力された属性情報と関係付けて広告データを作成し、当該作成した広告データを前記広告データベースに格納する広告データ化手段、
前記掲載された広告と略同一の広告に係る広告データが、既に前記広告データベースに存在するか否かの入力を受け付ける重複チェック手段、
として機能させるためのプログラムであって、
前記広告データ化手段は、
前記重複チェック手段において、略同一の広告に係る広告データが存在しない旨の入力を受け付けたとき、前記生成した広告画像データと、前記情報入力手段により入力された属性情報と関係付けて広告データを作成し、当該作成した広告データを前記広告データベースに格納し、
前記重複チェック手段において、略同一の広告に係る広告データが既に存在する旨の入力を受け付けたとき、前記略同一の広告に係る広告データに、前記広告媒体に関する情報を関係付けて前記広告データベースに格納する、
ものとして機能させるためのプログラム。
【請求項７】
コンピュータを、
広告の画像データと当該広告の属性情報とを含む広告データを管理する広告データベース、
広告媒体を撮影して、頁単位で画像データを取得する媒体撮影手段、
前記広告媒体において、広告が掲載されている領域の指定を受け付ける広告領域指定手段、
前記掲載された広告の属性情報の入力を受け付ける情報入力手段、
前記媒体撮影手段により取得された画像データから、前記広告領域指定手段により指定された領域を切り出して広告画像データを生成し、前記情報入力手段により入力された属性情報と関係付けて広告データを作成し、当該作成した広告データを前記広告データベースに格納する広告データ化手段、
前記掲載された広告と略同一の広告に係る広告データが、既に前記広告データベースに存在するか否かの入力を受け付ける重複チェック手段、
として機能させるためのプログラムであって、
前記広告データ化手段は、
前記重複チェック手段において、略同一の広告に係る広告データが存在しない旨の入力を受け付けたとき、前記生成した広告画像データと、前記情報入力手段により入力された属性情報と関係付けて広告データを作成し、当該作成した広告データを前記広告データベースに格納し、
前記重複チェック手段において、略同一の広告に係る広告データが既に存在する旨の入力を受け付けたとき、前記略同一の広告に係る広告データに、前記広告媒体に関する情報を関係付けて前記広告データベースに格納する、
ものとして機能させるためのプログラムを記録したコンピュータ読み取り可能な記録媒体。
【発明の詳細な説明】
【技術分野】
【０００１】
本発明は、新聞・雑誌等の広告媒体に出稿された広告をデータ化して収集するための情報処理技術に関する。
【背景技術】
【０００２】
新聞や雑誌等には、様々な広告が掲載されている。所定の一誌のみに掲載される広告もあれば、多数の広告媒体に対して同一の広告を掲載する場合もある。また、同一の広告主の同一商品であっても、広告の種類には様々なバリエーションがある。
【０００３】
一方、広告主や広告代理店としては、マーケティング戦略や広告戦略を立てるにあたり、広告媒体毎の広告効果の測定や、企業毎・商品毎の広告出稿量の調査等する必要がある。このような広告調査システムとして、例えば、自動販売機に貼り付けられているＰＯＰ広告の掲示状態を調査する技術が知られている（特許文献１）。
【特許文献１】特開２００４−２１３２３８号公報
【発明の開示】
【発明が解決しようとする課題】
【０００４】
ところで、毎日多数の新聞や雑誌等が発行されるため、掲載される広告の総数は膨大な数にのぼる。そのため、全ての広告について、いつ、どのような媒体に、どのような内容の広告が掲載されたかを、集計することは非常に困難である。また、広告画像の収集を個別に行うこともあるが、個々の広告をスキャナ等で読み取るという方法が採られているため、膨大な数の広告画像を全て読み取ることは現実的でない。
【０００５】
本発明は、かかる実情に鑑み、新聞や雑誌等の広告媒体に掲載される広告を効率的にデータ化して収集するシステムを提供しようとするものである。
【課題を解決するための手段】
【０００６】
上記課題を解決するため、本発明の広告データ収集システムは、広告の画像データと当該広告の属性情報とを含む広告データを管理する広告データベースと、広告媒体を撮影して、頁単位で画像データを取得する媒体撮影手段と、広告媒体において、広告が掲載されている領域の指定を受け付ける広告領域指定手段と、掲載された広告の属性情報の入力を受け付ける情報入力手段と、媒体撮影手段により取得された画像データから、広告領域指定手段により指定された領域を切り出して広告画像データを生成し、情報入力手段により入力された属性情報と関係付けて広告データを作成し、当該作成した広告データを広告データベースに格納する広告データ化手段と、を備える。かかる発明によれば、まず広告媒体の画像を取得した後、広告が掲載される領域の指定処理と、広告主等の属性情報の入力処理とを別々に分散して行うため、広告データを効率的に収集することができる。
【０００７】
好適には、広告データ収集システムは、掲載された広告と略同一の広告に係る広告データが、既に広告データベースに存在するか否かの入力を受け付ける重複チェック手段をさらに備え、広告データ化手段は、重複チェック手段において、略同一の広告に係る広告データが存在しない旨の入力を受け付けたとき、生成した広告画像データと、情報入力手段により入力された属性情報と関係付けて広告データを作成し、当該作成した広告データを広告データベースに格納し、重複チェック手段において、略同一の広告に係る広告データが既に存在する旨の入力を受け付けたとき、略同一の広告に係る広告データに、広告媒体に関する情報を関係付けて広告データベースに格納する。かかる発明によれば、複数の広告媒体に同一の広告が掲載される場合、一つの広告データに、複数の広告媒体情報をリンク付けて管理するため、記憶領域を節約しつつ、効率的に広告データを収集することができる。
【０００８】
好適には、重複チェック手段は、広告データベースから、掲載された広告の画像と類似する広告画像データを抽出し、当該抽出した類似画像データを一覧表示して、略同一の広告が存在する場合には、一覧表示された類似画像データの中から略同一の広告の指定を受け付ける。かかる発明によれば、類似する広告画像が表示されるため、略同一の広告を効率的に把握することができる。
【０００９】
好適には、属性情報は、広告主と、商品の種別と、広告が掲載された広告媒体に関する情報とを含む。広告媒体に関する情報とは、広告媒体の名称と、発売日又は発行日と、全頁数とを含む。
【００１０】
また、本発明の広告データ収集方法は、広告媒体を撮影して、頁単位で画像データを取得する媒体撮影ステップと、広告媒体において、広告が掲載されている領域の指定を受け付ける広告領域指定ステップと、掲載された広告の属性情報の入力を受け付ける情報入力ステップと、媒体撮影ステップで取得された画像データから、広告領域指定ステップで指定された領域を切り出して広告画像データを生成し、情報入力ステップで入力された属性情報と関係付けて広告データを作成し、当該作成した広告データをデータベースに格納する広告データ化ステップと、を備える。
【００１１】
好適には、広告データ収集方法は、掲載された広告と略同一の広告に係る広告データが、既に広告データベースに存在するか否かの入力を受け付ける重複チェックステップをさらに備え、広告データ化ステップは、重複チェックステップにおいて、略同一の広告に係る広告データが存在しない旨の入力を受け付けたとき、生成した広告画像データと、情報入力ステップで入力された属性情報と関係付けて広告データを作成し、当該作成した広告データをデータベースに格納し、重複チェックステップにおいて、略同一の広告に係る広告データが既に存在する旨の入力を受け付けたとき、略同一の広告に係る広告データに、広告媒体に関する情報を関係付けてデータベースに格納する。
【００１２】
本発明のプログラムは、本発明の広告データ収集方法の各ステップをコンピュータに実行させることを特徴とする。本発明のプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【００１３】
なお、本明細書等において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されてもよい。
【００１４】
なお、本発明において、「広告媒体」とは、紙等のシートに広告が掲載されるタイプの広告媒体を意味する。例えば、新聞や雑誌、書籍等である。
【発明の効果】
【００１５】
本発明によれば、新聞や雑誌等の広告媒体に掲載される膨大な数の広告を効率的にデータ化して収集するシステムを提供することが可能となる。特に、個々の広告毎に、広告の画像データ、広告主や商品種別等の広告情報、いつ、どのような媒体で掲載されたかという媒体情報を、効率的に電子データ化できるという優れた効果を有する。さらに、収集した広告データを利用して、種々の統計処理や分析処理を行うことができるため、企業戦略上有効な情報を提供することが可能となる。
【発明を実施するための最良の形態】
【００１６】
以下、本広告データ収集システムの実施の形態について図面を参照しつつ説明する。
【００１７】
図１は、本実施形態に係る広告データ収集システム１００の全体構成を示す図である。図１に示すように、本広告データ収集システム１００は、広告データベースサーバ１０と、媒体撮影システム２０と、広告領域指定システム３０と、重複チェックシステム４０と、情報入力システム５０とを備え、これらがネットワーク６０を介して相互に接続されることにより構成される。
【００１８】
広告データベースサーバ１０は、新聞・雑誌等に出稿された広告をデータ化するまでの暫定的なデータ、及び、データ化した個別の広告データ等を格納する広告データベース１５を備え、当該広告データベース１５を管理し、データに対するアクセス要求等に応えるためのコンピュータ・サーバである。既存のデータベース管理システムを使用できる。
【００１９】
媒体撮影システム２０は、新聞・雑誌等の広告媒体をデジタルカメラで撮影して、ページ毎のイメージデータを取得するためのシステムである。
【００２０】
広告領域指定システム３０は、デジタイザを用いて、広告媒体上でポイント指定することにより広告領域を指定して、指定した範囲に対応するイメージデータを切り出すためのシステムである。
【００２１】
重複チェックシステム４０は、広告領域指定システム３０にて切り出した広告と同一の広告が、既に広告データベース１５に蓄積されているかどうかチェックするためのシステムである。
【００２２】
情報入力システム５０は、切り出した広告の広告主や商品種別等の広告情報を入力するためのシステムである。
【００２３】
ネットワーク６０は、広告データベースサーバ１０と媒体撮影システム２０と広告領域指定システム３０と重複チェックシステム４０と情報入力システム５０との間で情報を送受信するための通信回線である。例えば、ＬＡＮ、企業内ネットワーク、インターネット、専用線、パケット通信網、電話回線、その他の通信回線、それらの組み合わせ等のいずれであってもよく、有線であるか無線であるかを問わない。
【００２４】
図２は広告データベースサーバ１０の装置構成を示す図である。広告データベースサーバ１０は、図２に示すようなＣＰＵ１０１、ＲＯＭやＲＡＭ等のメモリ１０２、各種の情報を格納する外部記憶装置１０３、入力インタフェース１０４、出力インタフェース１０５、通信インタフェース１０６及びこれらを結ぶバス１０７を備える汎用のコンピュータを適用することができる。また、媒体撮影システム２０、広告領域指定システム３０、重複チェックシステム４０、及び情報入力システム５０それぞれについても、図２に示すような装置構成を備える。
【００２５】
なお、広告データベースサーバ１０は、単一のコンピュータより構成されるものであっても、ネットワーク上に分散した複数のコンピュータより構成されるものであってもよい。また、単一のコンピュータが複数のサーバ機能を備えてもよい。広告データベースサーバ１０は、ＣＰＵが、メモリまたは外部記憶装置などに記憶された所定のプログラムを実行することにより、データベース管理手段等の各種機能手段が実現される。
【００２６】
図３は媒体撮影システム２０の機能構成を示すブロック図である。図３に示すように、媒体撮影システム２０は、本実施形態における主な構成として、ネットワーク６０と接続されデータ通信を行うための通信手段２１０と、媒体撮影システム２０の動作ないし処理全体を制御する制御手段２２０と、広告媒体を撮影するための撮像手段２３０と、広告媒体に貼付したコード情報を読み取るためのコードリーダ２４０と、を備える。
【００２７】
制御手段２２０は、コード読取手段２２２と、イメージ取得手段２２４と、頁数チェック手段２２６と、イメージ登録手段２２８と、をさらに備える。
【００２８】
通信手段２１０は、ネットワーク６０を介して、広告データベースサーバ１０等に対して情報を入出力可能に構成され、ファイルの送受信を行う。
【００２９】
コード読取手段２２２は、各広告媒体に予め貼付したバーコード等のコード情報を、コードリーダ２４０を用いて読み取る機能を有する。本広告データ収集システムにおいては、予め各広告媒体ごとに、媒体名称、発行日、頁数等の情報を埋め込んだコード情報を貼付しておき、当該コード情報を基に、広告媒体を管理する。
【００３０】
イメージ取得手段２２４は、撮像手段２３０を用いて撮影した画像データを取得する機能を有する。本実施形態では、頁単位で画像データを取得する。すなわち、広告媒体の１頁を、１枚（１つ）の画像データとして取得する。
【００３１】
頁数チェック手段２２６は、コード読取手段２２２で読み取った広告媒体の頁数と、イメージ取得手段２２４で取得した画像データの枚数とを比較して、広告媒体の全頁の画像データを取得したかどうかを判断する機能を有する。例えば、広告媒体の頁数と、取得した画像データの枚数が同数であれば、当該広告媒体の全頁の画像データを取得したと判断する。しかし、頁数と枚数が一致しない場合、画像データに重複又は漏れがあると考えられる。そのため、頁数と枚数が一致しないとき、再度はじめから、当該広告媒体の画像データを撮りなおす。
【００３２】
イメージ登録手段２２８は、頁数チェック手段２２６が広告媒体の画像データを全頁取得したと判断したときに、全頁分の画像データを広告データベースサーバ１０に送信して、広告データベース１５に登録する機能を有する。
【００３３】
撮像手段２３０は、新聞・雑誌等の広告媒体を頁単位で撮影する機能を有する。公知のデジタルカメラを援用してもよい。１台のカメラで１頁ずつ画像を撮影してもよいが、２台のカメラを使って、見開き頁の画像データを２頁同時に撮影すると、より効率的に画像データを取得できる。
【００３４】
コードリーダ２４０は、広告媒体に予め貼付したコード情報を読み取る機能を有する。ここで、コード情報とは、例えば、バーコードや二次元コードを指す。コードリーダ２４０として、既存のバーコードリーダや二次元コードリーダを使用できる。
【００３５】
図４は広告領域指定システム３０の機能構成を示すブロック図である。図４に示すように、広告領域指定システム３０は、本実施形態における主な構成として、ネットワーク６０と接続されデータ通信を行うための通信手段３１０と、広告領域指定システム３０の動作ないし処理全体を制御する制御手段３２０と、広告媒体から広告枠として切り出す矩形領域を指定するためのデジタイザ３３０と、広告媒体に貼付したコード情報を読み取るためのコードリーダ３４０と、を備える。
【００３６】
制御手段３２０は、コード読取手段３２２と、広告領域切出手段３２４と、頁数チェック手段３２６と、広告領域登録手段３２８と、をさらに備える。
【００３７】
広告領域切出手段３２４は、デジタイザ３３０を用いて指定された矩形領域の座標を、頁番号とともに取得する機能を有する。本実施形態では、広告媒体の１頁目から順に広告枠の矩形領域を指定していく。次の頁に移動する際に、ユーザは所定の入力を行うことにより、何頁目の矩形領域なのかを判断する。
【００３８】
頁数チェック手段３２６は、コード読取手段３２２で読み取った広告媒体の頁数と、広告領域指定システム３２４でユーザからの所定の入力によりカウントされた頁数とを比較して、両者が一致すれば、全頁の広告枠の矩形領域を指定したと判断する。しかし、両者が一致しないとき、再度はじめから、当該広告媒体の広告枠の矩形領域を指定しなおす。
【００３９】
広告領域登録手段３２８は、頁数チェック手段３２６が全頁の広告領域を指定したと判断したとき、広告枠の矩形領域の座標及び頁番号を広告データベースサーバ１０に送信して、広告データベース１５に登録する機能を有する。
【００４０】
デジタイザ３３０は、ポインティング・デバイスを使って座標情報を読み取る装置であり、公知のデジタイザを使用できる。所定位置に広告媒体をセットし、ポインティング・デバイスにより、広告枠として切り出したい矩形領域を指定する。本実施形態においては、矩形領域の左上と右下の２点を指定して、矩形領域を特定する。
【００４１】
通信手段３１０、コード読取手段３２２、コードリーダ３４０はそれぞれ、媒体撮影システム２０の通信手段２１０、コード読取手段２２２、コードリーダ２４０と同様の機能を有する。
【００４２】
図５は重複チェックシステム４０の機能構成を示すブロック図である。図５に示すように、重複チェックシステム４０は、本実施形態における主な構成として、ネットワーク６０と接続されデータ通信を行うための通信手段４１０と、重複チェックシステム４０の動作ないし処理全体を制御する制御手段４２０と、広告媒体から広告を指定するためのデジタイザ４３０と、広告媒体に貼付したコード情報を読み取るためのコードリーダ４４０と、画像を表示するための表示手段４５０と、情報を入力するための入力手段４６０とを備える。
【００４３】
制御手段４２０は、コード読取手段４２２と、広告取得手段４２４と、広告数チェック手段４２６と、重複チェック手段４２８と、をさらに備える。
【００４４】
広告取得手段４２４は、デジタイザ４３０を用いて指定された座標に基づいて、当該座標を含む広告枠の矩形領域を取得し、当該矩形領域に対応する広告の画像データ（以下「切出画像データ」という）を表示手段４５０に表示する機能を有する。
【００４５】
広告数チェック手段４２６は、広告媒体に掲載される広告数と、重複チェックを行った広告数とが、一致するかどうかを確認する機能を有する。具体的には、コード読取手段４２２で読み取った媒体識別情報に関係付けられた矩形領域座標の数と、重複チェック手段４２８により、重複チェックを行った切出画像データの数とを比較して、両者が一致すれば、広告媒体に掲載される全ての広告について重複チェックを行ったと判断する。
【００４６】
重複チェック手段４２８は、切出画像データと類似する画像を広告データベースサーバ１０から受信して、当該類似画像を表示手段４５０に表示する機能を有する。さらに、表示された類似画像の中に、切出画像データと略同一の画像がある場合、入力手段４６０からの入力に基づいて、当該略同一の画像データと切出画像データとをリンク付ける機能を有する。
【００４７】
デジタイザ４３０は、ポインティング・デバイスを使って座標情報を読み取る装置であり、公知のデジタイザを使用できる。所定位置に広告媒体をセットし、重複チェック処理を行う広告をポインティング・デバイスにより指定する。本実施形態においては、広告上の１点を指定して、処理を行う広告を特定する。
【００４８】
表示手段４５０は、デジタイザ４３０で指定した広告の画像と、当該画像に類似する画像を表示するためのものである。公知のＣＲＴ、液晶等のディスプレイ装置を使用できる。
【００４９】
入力手段４６０は、表示手段４５０に表示される類似画像の中に、切出画像データと略同一のものがある場合、ユーザが当該略同一の類似画像を指定するためのものである。高知のキーボード、マウス等の入力手段を使用すればよい。
【００５０】
通信手段４１０、コード読取手段４２２、コードリーダ３４０はそれぞれ、媒体撮影システム２０の通信手段２１０、コード読取手段２２２、コードリーダ２４０と同様の機能を有する。
【００５１】
図６は情報入力システム５０の機能構成を示すブロック図である。情報入力システム５０の機能構成は、重複チェックシステム４０の重複チェック手段４２８を情報登録手段５２８に置き換えた以外は、重複チェックシステム４０の構成と同様である。
【００５２】
情報登録手段５２８は、デジタイザ５３０で指定した広告について、入力手段５６０により入力された広告主、商品又は役務の種類・種別等の広告情報を広告データベース１５に登録する機能を有する。
【００５３】
次に、本広告データ収集システムの動作の概要を実施例に基づいて説明する。
【００５４】
図７は、広告データ収集システム１００による、広告媒体に出稿された広告をデータ化するまでのワークフローを示す図である。
【００５５】
まず、広告媒体を入荷したら、ユーザは事前に、各広告媒体を特定するための固有の媒体識別情報を埋め込んだコード情報を、広告媒体の表紙頁に貼付する。そして、当該媒体識別情報を広告データベース１５に登録する（Ｓ７１０）。ここで、媒体識別情報とは、媒体名、発売日及び／又は発行日、並びに媒体の全頁数を含む情報である。コード情報はバーコード、２次元コード等、公知のものを使用すればよい。
【００５６】
例えば、２００５年１０月７日発売の夕日新聞朝刊を入荷したら、ユーザは、媒体名「夕日新聞、朝刊」、発売日「２００５年１０月７日」、頁数「２４頁」といった情報を埋め込んだバーコード・シールを生成して、このシールを当該夕日新聞の第１面に貼付する。例えば、図１２（Ａ）のように、広告媒体１２１０の表紙に、バーコード・シール１２２０を貼付する。また、図１３に示すように、媒体識別情報１３１０を登録する。
【００５７】
次に、媒体撮影システム２０が、広告媒体を撮影して、撮影した画像データを広告データベース１５に登録する（Ｓ７２０）。その後、広告領域指定システム３０が、個々の広告毎に矩形領域を切り出す（Ｓ７３０）。そして、重複チェック手段４０により、切り出した矩形領域の画像（切出画像データ）と略同一のものが、広告データベース１５に既に登録されているかどうかを確認して（Ｓ７４０）、情報入力システム５０が、切出画像データに係る広告主等の情報を広告データベース１５に登録する（Ｓ７５０）。これらの処理の詳細は後述する。
【００５８】
最後に、広告データベース１５に登録された各種データに基づいて、個々の広告毎に広告データを生成して、広告データベース１５に登録する（Ｓ７６０）。広告データは、広告データを一意に特定する名称、広告主等の広告情報、掲載された広告媒体の情報、広告画像データを含む。
【００５９】
このようにしてデータ化された広告データは、広告統計等に利用される。
【００６０】
以下、各システムにおける処理の詳細を説明する。
【００６１】
図８は、媒体撮影システム２０における、広告媒体の撮影及び画像データの登録処理の流れを示すフローチャートである。まず、コードリーダ２４０を使用して、広告媒体に貼付されたコード情報を読み取り、コード読取手段２２２が、コード情報を基に媒体識別情報を取得する（Ｓ８１０）。次に、撮像手段２３０を使用して、広告媒体を１頁目から撮影し、イメージ取得手段２２４は、各頁ごとに画像データを取得する（Ｓ８２０）。
【００６２】
全ての頁を撮影し終わったとき、ユーザは図示しない入力手段を用いて、取得した全ての画像データの登録を指示する（Ｓ８３０）。登録指示を受けて、頁数チェック手段２２６は、イメージ取得手段２２４が取得した画像データの数と、コード読取手段２２２により取得した広告媒体の全頁数とが、一致しているかどうかを判断する（Ｓ８４０）。不一致の場合（Ｓ８４０：不一致）、撮影画像に漏れ又は重複があるため、Ｓ８２０に戻り、再度広告媒体を１頁目から撮影し直す。一致している場合（Ｓ８４０：一致）、イメージ登録手段２２８は、先に登録した媒体識別情報に関係付けて、取得した全ての画像データを広告データベース１５に登録する（Ｓ８５０）。例えば、上述の例の場合、図１３の画像データ１３２０に示すように、２４枚の画像データが登録される。
【００６３】
図９は、広告領域指定システム３０における、広告が掲載されている矩形領域の切り出し処理の流れを示すフローチャートである。まず、コードリーダ３４０を使用して、広告媒体に貼付されたコード情報を読み取り、コード読取手段３２２が、コード情報を基に媒体識別情報を取得する（Ｓ９１０）。次に、デジタイザ３３０を使用して、広告が掲載されている矩形領域を指定し、広告領域切出手段３２４が、指定した矩形領域の座標を取得する（Ｓ９２０）。例えば、図１２（Ｂ）に示すように、広告媒体１２３０をデジタイザ３３０の所定位置に置いて、ユーザがポインティング・デバイスを用いて、フラノビールの広告が掲載されている矩形領域１２４０を指定すると、広告領域切出手段３２４が、「２頁目の（０，４００）−（４００，６００）」というように、指定した矩形領域の座標を取得する。なお、広告媒体の頁をめくるときに、図示しない入力手段で頁をめくったことを指示することによって、頁数をカウントする。
【００６４】
全ての頁について、掲載されている広告領域の指定を終えたとき、ユーザは図示しない入力手段を用いて、取得した全ての矩形領域の座標の登録を指示する（Ｓ９３０）。登録指示を受けて、頁数チェック手段３２６は、頁めくりの指示に基づいてカウントしていた頁数と、コード読取手段３２２により取得した広告媒体の全頁数とが、一致しているかどうかを判断する（Ｓ９４０）。不一致の場合（Ｓ９４０：不一致）、取得した矩形領域に漏れ又は重複の可能性があるため、Ｓ９２０に戻り、再度１頁目から広告領域の指定をし直す。一致している場合（Ｓ９４０：一致）、広告領域登録手段３２８は、先に登録した媒体識別情報及び画像データに関係付けて、取得した全ての矩形領域座標を広告データベース１５に登録する（Ｓ９５０）。例えば、図１３の矩形領域座標１３３０に示すように、広告媒体に掲載される全ての広告について、広告が掲載されている矩形領域の頁数及び座標を登録する。
【００６５】
図１０は、重複チェックシステム４０における、切出画像データと略同一の広告画像が既に登録されているかどうかを確認する処理の流れを示すフローチャートである。まず、コードリーダ４４０を使用して、広告媒体に貼付されたコード情報を読み取り、コード読取手段４２２が、コード情報を基に媒体識別情報を取得する（Ｓ１０１０）。次に、デジタイザ４３０を使用して、広告が掲載されている矩形領域内の１点を指定し、広告取得手段４２４が、指定した座標を含む矩形領域を、広告データベース１５から取得する（Ｓ１０２０）。例えば、図１２（Ｂ）に示すように、広告媒体１２３０をデジタイザ３３０の所定位置に置いて、ユーザがポインティング・デバイスを用いて、フラノビールの広告が掲載されている矩形領域１２４０内の１点を指定すると、広告取得手段４２４が当該指定した座標を、例えば「２頁目の（１００，５００）」というように取得して、当該座標を含む矩形領域「２頁目の（０，４００）−（４００，６００）」を取得する。なお、頁数のカウントは、広告領域指定システム３０における頁数のカウントと同様にすればよい。
【００６６】
矩形領域を取得すると、広告データベース１５に登録した画像データから、取得した矩形領域を切り出して、広告画像を表示手段４５０に表示する（Ｓ１０３０）。そして、この切り出した広告画像（切出画像データ）と類似する広告画像が、広告データベース１５に既に登録されているかどうかを検索し、類似する広告画像があれば、類似画像を表示手段４５０に表示する（Ｓ１０４０）。画像の類似検索は、公知技術を使用すればよい。図１４は、表示手段４５０の表示例であり、切出画像データ１４１０に類似する広告画像（１４２０、１４３０、・・・、１４７０）を表示する。
【００６７】
ユーザは類似画像を目視確認して、切出画像データと略同一の広告画像が存在するかどうかを確認する（Ｓ１０５０）。存在する場合（Ｓ１０５０：存在する）、ユーザは入力手段４６０を用いて、略同一の広告画像を指定する。重複チェック手段４２８は、指定に基づいて、切出画像を当該略同一の広告画像とリンク付けて、広告データベース１５に登録する（Ｓ１０６０）。存在しない場合（Ｓ１０５０：存在しない）、すなわち、略同一の広告画像を指定しない場合、Ｓ１０７０に処理を移す。
【００６８】
広告数チェック手段４２６は、広告媒体に掲載されている全ての広告について、重複チェック（略同一の広告が既に広告データベース１５に登録されているかどうかの確認）が済んだかどうかを判断する（Ｓ１０７０）。重複チェックをしていない広告が残っていれば（Ｓ１０７０：ＮＯ）、Ｓ１０２０に戻って処理を続行する。全ての広告の重複チェックを終えたら（Ｓ１０７０：ＹＥＳ）、処理を終える。上述の例では、図１３の広告情報１３４０の２番目の広告に、広告データ「ＢＧＪＨＨ０Ｊ０」へのリンク情報が登録される。
【００６９】
図１１は、情報入力システム５０における、広告主等の広告情報を登録する処理の流れを示すフローチャートである。まず、コードリーダ５４０を使用して、広告媒体に貼付されたコード情報を読み取り、コード読取手段５２２が、コード情報を基に媒体識別情報を取得する（Ｓ１１１０）。次に、デジタイザ５３０を使用して、広告が掲載されている矩形領域内の１点を指定し、広告取得手段５２４が、指定した座標を含む矩形領域を、広告データベース１５から取得する（Ｓ１１２０）。
【００７０】
矩形領域を取得すると、広告データベース１５に登録した画像データから、取得した矩形領域を切り出して、広告画像を表示手段５５０に表示する。そして、この切り出した広告画像（切出画像データ）にリンク情報が登録されているかどうか判断する（Ｓ１１３０）。登録されている場合（Ｓ１１３０：登録済）、登録されているリンク情報に基づいて、切出画像データの広告主、広告種別等の広告情報を、リンク先から取得して、表示手段５５０に表示する（Ｓ１１４０）。また、リンク情報が登録されていない場合（Ｓ１１３０：未登録）、切出画像データの広告主、広告種別等の広告情報の入力を入力手段５６０より受け付け、情報登録手段５２８は入力された広告情報を広告データベース１５に登録する（Ｓ１１５０）。例えば、図１３の広告情報１３４０に示すように、広告ごとに、広告主及び広告種別等の広告情報が登録される。なお、Ｓ１１４０で表示された広告情報に誤りがある場合は、入力手段５６０を用いて修正してもよい。
【００７１】
広告数チェック手段５２８は、広告媒体に掲載されている全ての広告について、広告情報又はリンク情報が広告データベース１５に登録されたかどうかチェックする（Ｓ１１６０）。広告情報が登録されていない広告が残っていれば（Ｓ１１６０：ＮＯ）、Ｓ１１２０に戻って処理を続行する。上述の例では、図１３の広告情報１３４０の１番目及び３番目に広告情報が登録される。
【００７２】
全ての広告の広告情報が登録された後（Ｓ１１６０：ＹＥＳ）、情報入力システム５０は、広告データベースサーバ１０に、広告データの生成を指示する。広告データベースサーバ１０は、当該指示を受けて、個別の広告毎に広告データを生成し、広告データベース１５に登録する。
【００７３】
図１５は生成される広告データの構成を示す図である。広告データは、当該広告データを一意に特定するための識別名称１５１０と、画像データ１３２０及び矩形領域座標１３３０に基づいて切り出された個別の広告の画像データ１５２０と、広告情報１３４０から取得した広告情報１５３０と、媒体識別情報１３１０から取得した媒体識別情報１５４０とが関係付けられたデータとして構成される。なお、広告情報１３４０にリンク情報が登録されている場合、既に広告データベース１５に登録されている広告データに、媒体識別情報１３１０から取得した媒体識別情報１５４０を関係付けるのみでよい。
【００７４】
なお、各処理ステップは処理内容に矛盾を生じない範囲で任意に順番を変更して又は並列に実行することができる。例えば、図７の重複チェック処理（Ｓ７４０）と情報入力処理（Ｓ７５０）は、広告媒体の種類に応じて順番を変更することによって、処理効率を高めることができる。新聞広告は、同一の広告が多数の新聞に掲載されることが多いので、新聞の広告データを収集するときは、重複チェック処理を行った後に情報入力処理を行うと、処理効率が高い。一方、雑誌広告は、同一広告が複数誌に掲載されることが少ないので、雑誌の広告データを収集するときは、情報入力処理を先に行うとよい。
【００７５】
なお、本発明の広告データ収集システムは、上記した実施の形態に限定されるものではなく、本発明の要旨を逸脱しない範囲内において種々変更を加え得るものである。
【図面の簡単な説明】
【００７６】
【図１】広告データ収集システム１００の全体構成を示す図である。
【図２】広告データベースサーバ１０の装置構成を示す図である。
【図３】媒体撮影システム２０の機能構成を示すブロック図である。
【図４】広告領域指定システム３０の機能構成を示すブロック図である。
【図５】重複チェックシステム４０の機能構成を示すブロック図である。
【図６】情報入力システム５０の機能構成を示すブロック図である。
【図７】広告データ収集処理のワークフローを示す図である。
【図８】媒体撮影システム２０の処理の流れを示すフローチャートである。
【図９】広告領域指定システム３０の処理の流れを示すフローチャートである。
【図１０】重複チェックシステム４０の処理の流れを示すフローチャートである。
【図１１】情報入力システム５０の処理の流れを示すフローチャートである。
【図１２】広告媒体に貼付するコード情報及び広告領域を示す図である。
【図１３】広告データベース１５に登録されるデータを示す図である。
【図１４】表示手段４５０の表示例を示す図である。
【図１５】広告データのデータ構成を示す図である。
【符号の説明】
【００７７】
１０  広告データベースサーバ
２０  媒体撮影システム
３０  広告領域指定システム
４０  重複チェックシステム
５０  情報入力システム
６０  ネットワーク
【図１】
0004789593.tif 000002
【図２】
0004789593.tif 000003
【図３】
0004789593.tif 000004
【図４】
0004789593.tif 000005
【図５】
0004789593.tif 000006
【図６】
0004789593.tif 000007
【図７】
0004789593.tif 000008
【図８】
0004789593.tif 000009
【図９】
0004789593.tif 000010
【図１０】
0004789593.tif 000011
【図１１】
0004789593.tif 000012
【図１２】
0004789593.tif 000013
【図１３】
0004789593.tif 000014
【図１４】
0004789593.tif 000015
【図１５】
0004789593.tif 000016